(57)【要約】【課題】室内機個々に設定されている識別情報と室内機の位置情報とを容易に関連付けすることができるアドレス設定装置および空調システムを提供する。【解決手段】室外機２と、複数の室内機３と、室外機２を起点として複数の室内機３をシリアルに連結して通信接続する空調通信線６とを備える通信システムにおける複数の室内機３のアドレスを設定するアドレス設定装置は、空調通信線６を介して送信信号を複数の室内機３に向けて送信するとともに送信信号の振幅及び周波数の少なくとも一方を変更し、空調通信線６を介して受信した受信信号に基づいて、複数の室内機３のアドレスと複数の室内機３の室外機２に対する接続順位とを関連付ける。【選択図】図１
2020041735.tif 000002
【特許請求の範囲】
【請求項１】
第１の機器（２）と、複数の第２の機器（３）と、前記第１の機器（２）を起点として前記複数の第２の機器（３）をシリアルに連結して通信接続する通信線（６）とを備える通信システムにおける前記複数の第２の機器（３）のアドレスを設定するアドレス設定装置（２０）であって、
前記通信線（６）を介して送信信号を前記複数の第２の機器（３）に向けて送信するとともに前記送信信号の振幅及び周波数の少なくとも一方を変更し、前記通信線（６）を介して受信した受信信号に基づいて、前記複数の第２の機器（３）のアドレスと前記複数の第２の機器（３）の前記第１の機器（２）に対する接続順位とを関連付ける通信制御部（２１）を有する
アドレス設定装置。
【請求項２】
前記通信制御部（２１）は、前記送信信号の振幅を徐々に大きくする、又は徐々に小さくすることによって、前記複数の第２の機器（３）のうちの１つを特定し、特定した第２の機器（３）から受信した受信信号に基づいて、前記特定した第２の機器（３）のアドレスと前記第１の機器（２）に対する接続順位とを関連付ける
請求項１に記載のアドレス設定装置。
【請求項３】
前記通信制御部（２１）は、前記送信信号の周波数帯を徐々に高くする、又は徐々に低くすることによって、前記複数の第２の機器（３）のうちの１つを特定し、特定した第２の機器（３）から受信した受信信号に基づいて、前記特定した第２の機器（３）のアドレスと前記第１の機器（２）に対する接続順位とを関連付ける
請求項１又は２に記載のアドレス設定装置。
【請求項４】
前記通信制御部（２１）は、前記複数の第２の機器（３）の設置場所が設定された機器配置図データにおける前記複数の第２の機器（３）の設置場所と、前記複数の第２の機器（３）のアドレス及び前記第１の機器（２）に対する接続順位とを関連付ける
請求項１〜３のいずれか一項に記載のアドレス設定装置。
【請求項５】
前記通信制御部（２１）は、所定の振幅又は所定の周波数帯の前記送信信号を送信して、前記第１の機器（２）に対する前記第２の機器（３）の接続数を取得し、前記接続数の前記第２の機器（３）のアドレスと前記第１の機器（２）に対する接続順位とを関連付けるまで、振幅及び周波数の少なくとも一方を変更した前記送信信号を繰り返し送信する
請求項１〜４のいずれか一項に記載のアドレス設定装置。
【請求項６】
前記通信制御部（２１）は、前記複数の第２の機器（３）のアドレスと前記第１の機器（２）に対する接続順位との関連付けを複数回にわたり実行した結果、前記第２の機器（３）のアドレスと前記第１の機器（２）に対する接続順位との第１関連情報と、前記第１関連情報とは異なる関連付けの情報となる第２関連情報とを得た場合、前記第１関連情報の取得回数と前記第２関連情報の取得回数とのうちの取得回数の多い関連情報に基づいて、前記第２の機器（３）のアドレスと前記第１の機器（２）に対する接続順位とを関連付ける
請求項１〜５のいずれか一項に記載のアドレス設定装置。
【請求項７】
請求項１〜６のいずれか一項に記載のアドレス設定装置（２０）を備える空調システム（１）であって、
前記第１の機器（２）は、室外機（２）であり、
前記第２の機器（３）は、室内機（３）を含む
空調システム。
【請求項８】
前記アドレス設定装置（２０）は、前記室外機（２）に設けられている
請求項７に記載の空調システム。
【請求項９】
前記空調システム（１）は、前記室外機（２）及び前記室内機（３）を一括で制御する集中管理装置（４）を備え、
前記アドレス設定装置（２０）は、前記集中管理装置（４）に設けられている
請求項７に記載の空調システム。
【発明の詳細な説明】
【技術分野】
【０００１】
本開示は、アドレス設定装置、および、このアドレス設定装置を備える空調システムに関する。
【背景技術】
【０００２】
従来、室外機と、この室外機に冷媒配管を介して接続される複数の室内機と、室外機と複数の室内機とを通信接続する通信線とを有する空調システムが知られている。このような空調システムでは、保守点検時等において室内機のアドレスとその室内機の設置場所とが関連付けてられていることが好ましい。そこで、室内機のアドレスとその室内機の設置場所との関連付けについて種々の提案がされている。
【０００３】
一例として、特許文献１には、通信線が室外機を起点として複数の室内機をシリアルに連結される空気調和機において、次のように室内機のアドレスを設定する。すなわち、まず室内機のアドレスの自動設定モード時に、室内機が記憶しているアドレスを消去し、複数の室内機内の通信回路遮断器によって通信回路を遮断する。次に、室内機では、通信線において通信回路遮断器よりも室外機側に制御部が接続されているため、室外機がアドレス付与コマンドを送出することにより、室外機に最も近い室内機のアドレスが付与される。そして室外機に最も近い室内機の通信回路遮断器によって通信回路を接続する。このような室内機のアドレス設定を室外機に近い室内機から順に行うことにより、室内機のアドレスとその室内機の室外機に対する接続順位とが関連付けされる。
【先行技術文献】
【特許文献】
【０００４】
【特許文献１】特開２００６−１２５６５７号公報
【発明の概要】
【発明が解決しようとする課題】
【０００５】
ところで、特許文献１のアドレス設定方法では、通信回路遮断器が通信線を遮断及び接続を切り替えることによって室外機と通信可能な室内機とを設定できるが、アドレスの自動設定モード時に通信回路遮断器を制御することは煩雑であり、改善の余地があった。
【０００６】
本開示の目的は、室内機個々に設定されている識別情報と室内機の位置情報とを容易に関連付けすることができるアドレス設定装置および空調システムを提供することにある。
【課題を解決するための手段】
【０００７】
この課題を解決するアドレス設定装置は、第１の機器と、複数の第２の機器と、前記第１の機器を起点として前記複数の第２の機器をシリアルに連結して通信接続する通信線とを備える通信システムにおける前記複数の第２の機器のアドレスを設定するアドレス設定装置であって、前記通信線を介して送信信号を前記複数の第２の機器に向けて送信するとともに前記送信信号の振幅及び周波数の少なくとも一方を変更し、前記通信線を介して受信した受信信号に基づいて、前記複数の第２の機器のアドレスと前記複数の第２の機器の前記第１の機器に対する接続順位とを関連付ける通信制御部を有する。
【０００８】
この構成によれば、送信信号の振幅及び周波数の少なくとも一方を変更することによって通信線における送信信号の送信距離を変更できる。このため、送信信号によって複数の第２の機器のうちの送信信号が到達可能な第２の機器と送信信号が到達不能な第２の機器とが存在し、通信線における第１の機器と第２の機器との距離との関係によって、送信信号が到達した第２の機器の第１の機器に対する接続順位を判別できる。したがって、複数の第２の機器のアドレスと複数の第２の機器の第１の機器に対する接続順位とを容易に関連付けることができる。
【図面の簡単な説明】
【０００９】
【図１】第１実施形態の空調システムの概略構成図。
【図２】空調システムの室外機及び室内機の概略ブロック図。
【図３】機器設置図データの一例を示す平面図。
【図４】アドレス設定装置の通信制御部が送信する各周波数の送信信号の振幅と、空調通信線における室外機からの距離との関係を示すグラフ。
【図５】送信信号の周波数帯を変更した第１〜第６送信信号を示す説明図。
【図６】通信制御部が実行するアドレス設定処理の処理手順の一例を示すフローチャート。
【図７】通信制御部が実行する決定処理の処理手順の一例を示すフローチャート。
【図８】第２実施形態のアドレス設定装置の通信制御部が実行するアドレス設定処理の処理手順の一例を示すフローチャート。
【図９】変更例のアドレス設定装置の通信制御部が実行する決定処理の処理手順の一例を示すフローチャート。
【発明を実施するための形態】
【００１０】
（第１実施形態）
以下、図面を参照して、アドレス設定装置２０を備える空調システム１の構成について説明する。
【００１１】
図１に示すように、空調システム１は、屋外に設置される第１の機器の一例である室外機２と、屋内に設置される複数の第２の機器の一例である複数の室内機３とを有する。本実施形態では、空調システム１は、１１台の室内機３を有する。空調システム１は、例えば、オフィスビルやテナントビル等の建物に設定されるものである。室外機２は、冷媒配管５を介して各室内機３と接続されている。また、室外機２は、通信線の一例である空調通信線６を介して各室内機３と接続されている。より詳細には、空調通信線６は、室外機２を起点として複数の室内機３（本実施形態では１１台の室内機３）をシリアルに連結して通信接続している。また、本実施形態の空調システム１は、空調通信線６を介して室外機２に接続されたシステム管理装置４を有する。システム管理装置４は、集中管理装置の一例であり、例えば、ビル等の建物を管理するユーザからの指令を受け付け、室外機２及び複数の室内機３を一括で制御する。このように、空調システム１は、第１の機器と、複数の第２の機器と、第１の機器を起点として複数の第２の機器をシリアルに連結して通信接続する通信線とを備える通信システムの一例である。
【００１２】
なお、空調システム１の構成は適宜変更可能である。例えば、１台の室外機２に対して２〜１０台の室内機３、又は１２台以上の室内機３がシリアルに連結されてもよい。また、複数の室外機２を有し、各室外機２に対して複数の室内機３をシリアルに連結した構成としてもよい。また、システム管理装置４は省略されてもよい。
【００１３】
空調システム１は、室外機２や室内機３の制御性の向上が求められる。例えば、設定温度の変更や室温等の温度変化に対して、室外機２と室内機３とをきめ細かく制御することが要求される。このため、空調システム１は、室外機２と室内機３との間の通信において、高速通信を行うように構成される。
【００１４】
図２に示すように、室外機２は、制御装置１１、圧縮機１２、ファン１４、室外側熱交換器、各種の弁、等を有する。圧縮機１２、ファン１４、室外側熱交換器、各種の弁は、冷媒配管によって接続されている。また、本実施形態の制御装置１１は、圧縮機インバータ１３及びファンインバータ１５を含む。
【００１５】
圧縮機１２は、例えばスクロール型式やスクリュー型式等の容積式圧縮機であり、冷媒を吸入して冷媒を圧縮した後、吐出する。圧縮機１２は、駆動源としてのモータを含む。圧縮機インバータ１３は、圧縮機１２のモータを駆動するための複数のスイッチング素子を含む。スイッチング素子は、例えばＩＧＢＴ（Insulated Gate Bipolar Transistor）である。制御装置１１の制御部１７は、所定のキャリア周波数（例えば、６ｋＨｚ）によってスイッチング素子をオンオフ制御し、これらスイッチング素子のオンオフによって圧縮機１２が駆動される。
【００１６】
ファン１４は、室外機２内に流入して室外側熱交換器を通過した後に室外機２外に流出する空気流を生成する送風機である。ファン１４は、駆動源としてのモータを含む。ファンインバータ１５は、ファン１４のモータを駆動するための複数のスイッチング素子を含む。スイッチング素子は、例えばＩＧＢＴである。制御装置１１の制御部１７は、ファンインバータ１５のスイッチング素子をオンオフ制御し、これらスイッチング素子のオンオフにより、ファン１４が駆動される。
【００１７】
制御装置１１は、例えば、ＣＰＵ（Central Processing Unit）又はＭＰＵ（Micro Processing Unit）等が実装された制御基板として構成されている。制御装置１１は、制御部１７、通信回路１８、及びアドレス設定装置２０を有する。本実施形態では、制御基板上に圧縮機インバータ１３、ファンインバータ１５、制御部１７、通信回路１８、及びアドレス設定装置２０が構成されている。なお、圧縮機インバータ１３及びファンインバータ１５の少なくとも一方は、制御装置１１とは別に設けられてもよい。すなわち圧縮機インバータ１３及びファンインバータ１５の少なくとも一方は、制御装置１１としての制御基板とは別の制御基板上に形成されてもよい。
【００１８】
制御部１７は、通信回路１８と電気的に接続されている。制御部１７は、例えば予め定められる制御プログラムを実行する演算装置及び記憶部を含む。演算処理装置は、例えばＣＰＵ又はＭＰＵを含む。記憶部には、各種の制御プログラム及び各種の制御処理に用いられる情報が記憶される。記憶部は、例えば不揮発性メモリ及び揮発性メモリを含む。
【００１９】
通信回路１８は、室内機３の通信回路３５と通信するものであり、空調通信線６に接続されている。通信回路１８と空調通信線６との間に、カップリングコンデンサ及びノイズカットトランス（ともに図示略）が設けられてもよい。
【００２０】
通信回路１８は、運転データを送信するための信号を空調通信線６に出力する。空調通信線６は、正側と負側との２本の信号線で構成されている。ここで、運転データは、例えばリモコン等から送出された運転・停止の指令、温度センサによる温度情報等を含む。制御部１７は、このような運転データに基づいて、圧縮機１２の運転周波数、ファン１４の回転速度、各種の弁の開閉や切替等を制御する。
【００２１】
アドレス設定装置２０は、複数の室内機３の設置場所（室外機２に対する接続順位）と、複数の室内機３のアドレスとを関連付ける。アドレス設定装置２０は、通信制御部２１及び記憶部２２を有する。室内機３のアドレスは、例えば室内機３の識別情報を含む。一例では、室内機３のアドレスは、ＭＡＣ（Media Access Control）アドレスである。
【００２２】
通信制御部２１は、通信回路１８と電気的に接続されている。通信制御部２１は、例えば予め定められる制御プログラムを実行する演算装置及び記憶部を含む。演算処理装置は、例えばＣＰＵ又はＭＰＵを含む。通信制御部２１は、空調通信線６を介して送信信号を複数の室内機３に向けて送信する。送信信号の一例は、応答確認信号である。そして通信制御部２１は、室内機３から空調通信線６を介して受信信号を受信する。受信信号の一例は、応答信号である。通信制御部２１は、室内機３から受信した受信信号に基づいて、複数の室内機３のアドレスと複数の室内機３の室外機２に対する接続順位とを関連付ける。複数の室内機３の室外機２に対する接続順位は、室外機２と室内機３とを接続する空調通信線６の距離で示され、例えば室外機２と室内機３とを接続する空調通信線６の距離が短い順に順位が決められる。
【００２３】
記憶部２２には、各種の制御プログラム及び各種の制御処理に用いられる情報が記憶される。また、記憶部２２には、ビル等の建物のフロアの設計図やフロアにおける複数の室内機３の設置場所が示された設置図データ（機器設置図データ）が記憶される。記憶部は、例えば不揮発性メモリ及び揮発性メモリを含む。
【００２４】
室内機３は、制御装置３１、ファン３２、ファンインバータ３３、室内側熱交換器、膨張弁等を有する。ファン３２は、室内機３内に流入して室内側熱交換器を通過した後に室内機３外に流出する空気流を生成する送風機である。ファン３２は、駆動源としてのモータを含む。ファンインバータ３３は、ファン３２のモータを駆動するための複数のスイッチング素子を含む。スイッチング素子は、例えばＩＧＢＴである。制御装置３１の制御部３４は、ファンインバータ３３のスイッチング素子をオンオフ制御し、ファン３２の回転速度を調整し、生成する空気流の流量を制御する。
【００２５】
制御装置３１は、例えばＣＰＵ又はＭＰＵが実装された制御基板として構成されている。制御装置３１は、制御部３４および通信回路３５を有する。
制御部３４は、通信回路３５と電気的に接続されている。制御部３４は、例えば予め定められる制御プログラムを実行する演算装置及び記憶部を含む。演算処理装置は、例えばＣＰＵ又はＭＰＵを含む。記憶部には、各種の制御プログラム及び各種の制御処理に用いられる情報が記憶される。記憶部は、例えば不揮発性メモリ及び揮発性メモリを含む。
【００２６】
通信回路３５は、室外機２の通信回路１８と通信するものであり、空調通信線６に接続されている。通信回路３５と空調通信線６との間に、カップリングコンデンサ及びノイズカットトランス（ともに図示略）が設けられてもよい。通信回路３５は、運転データを送信するための信号を空調通信線６に出力する。また、通信回路３５は、空調通信線６から入力する信号により運転データを受信する。
【００２７】
次に、アドレス設定装置２０の動作について説明する。
アドレス設定装置２０の通信制御部２１は、複数の室内機３の設置場所が設定された機器設置図データにおける複数の室内機３の設置場所と、複数の室内機３のアドレス及び室外機２に対する接続順位とを関連付けるアドレス設定処理を実行する。
【００２８】
機器設置図データは、例えば記憶部２２に記憶される。機器設置図データの一例を図３に示す。図３では、例えばフロアにおける１１台の室内機３（以下「室内機３Ａ〜３Ｋ」と称する）と室内機３Ａ〜３Ｋをシリアルに連結する空調通信線６とが示されている。図３では、室外機２から近い順に室内機３Ａ，３Ｂ，３Ｃ，３Ｄ，３Ｅ，３Ｆ，３Ｇ，３Ｈ，３Ｉ，３Ｊ，３Ｋが設置されている。
【００２９】
通信制御部２１は、空調通信線６を介して送信信号（応答確認信号）を複数の室内機３Ａ〜３Ｋに向けて送信する。一例として、図４は、送信信号の振幅と、空調通信線６における室外機２からの距離との関係を示している。図４に示すように、送信信号の振幅は、空調通信線６における室外機２からの距離が長くなるにつれて低下する。送信信号は、周波数が高くなるにつれて空調通信線６における室外機２からの距離が短くなる。また図４では図示していないが、送信信号は、振幅が大きくなるにつれて空調通信線６における室外機２からの距離が長くなる。
【００３０】
図４に示す実線、一点鎖線、二点鎖線、及び破線は、送信信号の周波数帯を示す。実線から一点鎖線、二点鎖線、破線に向かって周波数帯が低くなる。また、図４に示す実線、一点鎖線、二点鎖線、及び破線において、送信信号の振幅は、それぞれの周波数帯に応じた距離で減衰する。例えば、実線にて示す周波数帯の送信信号の振幅は、室外機２から距離Ｄ１において、最も小さくなる。つまり、送信信号は、周波数帯に応じて、減衰する距離が異なる。
【００３１】
そこで、本実施形態では、通信制御部２１は、送信信号の振幅及び周波数をそれぞれ変更する。より詳細には、通信制御部２１は、空調通信線６における送信信号の伝達距離を延ばすように、送信信号の振幅を徐々に大きくしたり、送信信号の周波数帯を徐々に低くしたりする。送信信号の振幅及び周波数帯は、室外機２に接続される空調通信線６の最大長に応じて設定される。本実施形態では、振幅および周波数帯が調整された送信信号は、室内機３Ｋまで到達する。
【００３２】
通信制御部２１は、所定の周波数幅の信号にて通信可能に構成されている。さらに、通信制御部２１は、通信可能な全周波数を複数に区分し、区分した周波数帯ごとの送信信号を送信可能に構成されている。一例では、図５に示すように、通信制御部２１は、４ＭＨｚ以上２８ＭＨｚ以下の周波数帯の送信信号を送信可能である。この送信信号を例えば、２４ＭＨｚ以上２８ＭＨｚ以下の周波数帯の第１送信信号Ｓ１、２０ＭＨｚ以上２４ＭＨｚ以下の周波数帯の第２送信信号Ｓ２、１６ＭＨｚ以上２０ＭＨｚ以下の第３送信信号Ｓ３、１２ＭＨｚ以上１６ＭＨｚ以下の第４送信信号Ｓ４、８ＭＨｚ以上１２ＭＨｚ以下の第５送信信号Ｓ５、及び４ＭＨｚ以上８ＭＨｚ以下の第６送信信号Ｓ６として通信制御部２１が送信する。なお、送信信号を例えば２４ＭＨｚ以上かつ２８ＭＨｚ以下の周波数帯の第１送信信号Ｓ１、２０ＭＨｚ以上かつ２４ＭＨｚ未満の周波数帯の第２送信信号Ｓ２、１６ＭＨｚ以上かつ２０ＭＨｚ未満の周波数帯の第３送信信号Ｓ３、１２ＭＨｚ以上かつ１６ＭＨｚ未満の周波数帯の第４送信信号Ｓ４、８ＭＨｚ以上かつ１２ＭＨｚ未満の周波数帯の第５送信信号Ｓ５、及び４ＭＨｚ以上かつ８ＭＨｚ未満の周波数帯の第６送信信号Ｓ６として通信制御部２１が送信してもよい。また、送信信号の全周波数帯、各送信信号の周波数帯は適宜変更されてもよい。また、例えば、第１送信信号Ｓ１の周波数帯を２０ＭＨｚ〜２８ＭＨｚ、第２送信信号Ｓ２の周波数帯を１８ＭＨｚ〜２４ＭＨｚのように、送信信号の周波数帯の一部が重なるように設定されてもよい。
【００３３】
通信制御部２１は、第１送信信号Ｓ１〜第６送信信号Ｓ６のそれぞれにおいて、例えば第１振幅Ａ１の送信信号、第１振幅Ａ１よりも大きい第２振幅Ａ２の送信信号、及び第２振幅Ａ２よりも大きい第３振幅Ａ３の送信信号として送信する。
【００３４】
これら第１送信信号Ｓ１〜第６送信信号Ｓ６のいずれかを受信した室内機３Ａ〜３Ｋの制御部３４は、空調通信線６を介して受信信号（応答信号）を室外機２に向けて送信する。また、室内機３Ａ〜３Ｋの受信信号は、室内機３Ａ〜３Ｋのアドレス（例えばＭＡＣアドレス）を含む。
【００３５】
このように、第１送信信号Ｓ１〜第６送信信号Ｓ６のように周波数帯を変更し、各送信信号において振幅を変更することによって、送信信号が到達可能な距離、つまり複数の室内機３のうちの送信信号を受信可能な室内機３が異なる。つまり、室内機３Ａ〜３Ｋのうちの１つが送信信号（応答確認信号）を受信する。室外機２からの送信信号を受信した室内機３が受信信号（応答信号）を送信する。これにより、実際に設置された複数の室内機３の接続順位及びアドレスと機器設置データ上の室内機３Ａ〜３Ｋとを関連付けることができる。
【００３６】
図６を参照して、通信制御部２１が実行するアドレス設定処理の処理手順の一例について説明する。アドレス設定処理は、作業者が例えば室外機２の制御装置１１に設けられた操作部を操作することによって開始される。一例では、制御装置１１としての制御基板に設けられたボタンを長押しすることによってアドレス設定処理が開始される。
【００３７】
通信制御部２１は、ステップＳ１１において送信信号を複数の室内機３に向けて送信し、ステップＳ１２に移行する。一例では、通信制御部２１は、アドレス設定処理の開始後、最初に、到達距離が最も短い送信信号、つまり最小振幅かつ最大周波数帯の送信信号を、空調通信線６を介して室内機３に向けて送信する。本実施形態では、通信制御部２１は、アドレス設定処理の開始後、最初に、空調通信線６を介して室内機３Ａ〜３Ｋ（図３参照）に向けて第１振幅Ａ１の第１送信信号Ｓ１を送信する。
【００３８】
通信制御部２１は、ステップＳ１２において受信信号を受信したか否かを判定する。通信制御部２１は、受信信号を受信した場合、ステップＳ１３において受信信号を送信した室内機３を特定し、ステップＳ１４に移行する。一例では、図３に示すように、送信信号を室内機３Ａのみが受信した場合、室内機３Ａは、空調通信線６を介して受信信号を室外機２（通信制御部２１）に向けて送信する。通信制御部２１は、室内機３Ａからの受信信号に含まれるＭＡＣアドレスから受信信号を送信した室内機が室内機３Ａであると判定する。
【００３９】
通信制御部２１は、ステップＳ１４において受信信号から受信信号を送信した室内機３の接続順位とアドレスとの関連付けを行い、ステップＳ１５に移行する。通信制御部２１は、ステップＳ１５において室外機２に空調通信線６を介して接続される全ての室内機３の室外機２に対する接続順位とアドレスとの関連付けが行われたか否かを判定する。通信制御部２１は、全ての室内機３の室外機２に対する接続順位とアドレスとの関連付けが行われたと判定する場合、処理を終了する。通信制御部２１は、全ての室内機３の室外機２に対する接続順位とアドレスとの関連付けが行われていないと判定する場合、すなわち室外機２に対する接続順位とアドレスとの関連付けが行われていない室内機３が残っていると判定する場合、ステップＳ１１に移行する。なお、通信制御部２１は、室外機２に空調通信線６を介して接続された室内機３の数を機器配置図データから取得する。
【００４０】
このように、機器設置図データから室外機２に対する室内機３の接続数を取得し、接続数の室内機３のアドレスと室外機２に対する接続順位とを関連付けるまで、振幅及び周波数の少なくとも一方を変更した送信信号を繰り返し送信する。
【００４１】
また、通信制御部２１は、送信信号を送信しても受信信号を受信しなかったと判定する場合、ステップＳ２１〜Ｓ２６のように振幅及び周波数の少なくとも一方を変更した送信信号を再び送信する。
【００４２】
具体的には、通信制御部２１は、ステップＳ２１において送信信号の振幅が最大値か否かを判定する。送信信号の振幅の最大値は、例えば送信信号の設定振幅範囲の上限値である。一例では、送信信号の振幅が第１振幅Ａ１、第２振幅Ａ２、及び第３振幅Ａ３のいずれかに設定されている場合、通信制御部２１は、ステップＳ１１において送信した送信信号の振幅が第３振幅Ａ３であるか否かを判定する。
【００４３】
通信制御部２１は、送信信号の振幅が最大値ではないと判定する場合、ステップＳ２２に移行する。通信制御部２１は、ステップＳ２２において送信信号の振幅を大きくし、ステップＳ１１に移行する。一例では、ステップＳ１１において送信した送信信号の振幅が第１振幅Ａ１の場合、通信制御部２１は、ステップＳ２２において送信信号の振幅を第２振幅Ａ２に設定し、ステップＳ１１に移行する。この場合、通信制御部２１は、ステップＳ１１において第２振幅Ａ２の送信信号を送信する。そして通信制御部２１は、ステップＳ１１において送信した第２振幅Ａ２の送信信号でも受信信号を受信しなかった場合、ステップＳ２２において送信信号の振幅を第３振幅Ａ３に設定し、ステップＳ１１に移行する。このように、通信制御部２１は、送信信号の振幅を徐々に大きくする。
【００４４】
通信制御部２１は、送信信号の振幅が最大値であると判定する場合、ステップＳ２３に移行する。通信制御部２１は、ステップＳ２３において送信信号の周波数帯が最低周波数帯か否かを判定する。送信信号の最低周波数帯は、例えば送信信号の設定周波数帯の下限値を含む周波数帯である。一例では、送信信号が第１送信信号Ｓ１〜第６送信信号Ｓ６のいずれかに設定されている場合、通信制御部２１は、ステップＳ１１において送信した送信信号が第６送信信号Ｓ６であるか否かを判定する。
【００４５】
通信制御部２１は、送信信号の周波数帯が最低周波数帯ではないと判定する場合、ステップＳ２４に移行する。通信制御部２１は、ステップＳ２４において送信信号の周波数帯を低くし、ステップＳ２５において周波数帯を変更した送信信号の振幅を最小値に設定し、ステップＳ１１に移行する。ステップＳ２４，Ｓ２５の一例では、ステップＳ１１において送信した送信信号が第１送信信号Ｓ１の場合、通信制御部２１は、ステップＳ２４において送信信号を第２送信信号Ｓ２に設定する。そして通信制御部２１は、第２送信信号Ｓ２の振幅を第１振幅Ａ１に設定し、ステップＳ１１に移行する。この場合、通信制御部２１は、ステップＳ１１において第１振幅Ａ１の第２送信信号Ｓ２を送信する。このように、通信制御部２１は、送信信号の周波数を徐々に低くする。
【００４６】
ステップＳ２１〜Ｓ２５からわかるとおり、本実施形態では、送信信号の振幅を徐々に大きくし、振幅が最大値に達した後、送信信号の周波数を低くするとともに振幅を最小値とする。
【００４７】
また、通信制御部２１は、送信信号の周波数帯が最低周波数帯であると判定する場合、ステップＳ２６に移行する。通信制御部２１は、ステップＳ２６において室外機２に対する接続順位とアドレスとの関連付けができない室内機３が存在する旨のエラーを報知し、処理を終了する。一例では、通信制御部２１は、室外機２に設けられた報知部（図示略）によってエラーを報知する。報知部の一例は、ＬＥＤ（light emitting diode）、表示器、スピーカ等が挙げられる。通信制御部２１は、ステップＳ２６においてエラーである場合、例えばＬＥＤを点滅させる。通信制御部２１は、ステップＳ２６においてエラーである場合、表示器にエラーの内容を表示させる。通信制御部２１は、ステップＳ２６においてエラーである場合、スピーカによってエラーの内容を報知する。これにより、室外機２に対する室内機３の接続順位とアドレスとを関連付けの作業を行う作業者にエラーを報知できる。
【００４８】
本実施形態の通信制御部２１は、アドレス設定処理を複数回実施する。これにより、通信制御部２１は、室内機３の抜け（認識ミス）や接続順位のミスを低減できる。
室外機２が送信する送信信号の振幅は、室外機２から離れるほど小さくなる。そして、図４に示すように、振幅が極めて小さくなる場合がある。これは、空調通信線６における信号の反射により減衰するものと考えられる。この振幅が小さくなる距離は、送信信号の周波数帯によって異なる場合がある。例えば、図４に示すように、低周波数帯の送信信号ほど、室外機２から離れた距離で極めて小さくなる。例えば、実線にて示す周波数帯の送信信号では、距離Ｄ１にて極めて小さくなる。この距離Ｄ１付近にある室内機３は送信信号に応答しないため、室外機２はその室内機３を認識できず、アドレスを取得できない。そして距離Ｄ１よりも遠い距離にある室内機３は、送信信号に対して応答できるため、室外機２はその応答した室内機３を認識し、アドレスを取得する。これにより、接続順位にミスが生じる。例えば、図３において、室内機３Ｃが図４に示す距離Ｄ１付近にある場合、その室内機３Ｃは送信信号に対して応答しない。そして、室内機３Ｃよりも室外機２から離れた室内機３Ｄが送信信号に対して応答すると、その室内機３Ｄを室内機３Ｂの次に認識（アドレスを取得）することになる。
【００４９】
このため、通信制御部２１は、送信信号の周波数帯を変更する。例えば、図４に一点鎖線で示す周波数帯の送信信号を送信した場合、振幅が極めて小さくなる距離は、実線で示す周波数帯の送信信号における距離Ｄ１よりも室外機２から遠くなる。上述した例では、距離Ｄ１付近の室内機３Ｃは、この一点鎖線にて示す周波数帯の送信信号に応答できる。このため、室内機３Ｃのアドレスを確実に取得できる。そして、この室内機３Ｃを室内機３Ｂの次に認識するため、正しい接続順位にてアドレスを取得できる。
【００５０】
また、送信信号の振幅及び周波数帯によって、取得する接続順位に誤りが生じるおそれがある。例えば、図３に示す室内機３Ｄのアドレスを取得した後、室内機３Ｃのアドレスを取得する場合がある。この場合、誤った接続順位でアドレスが関連付けられることになる。
【００５１】
このように、複数回のアドレス設定処理を行うと、正しい接続順位と室内機３のアドレスとの関連付けとを、誤りのある関連付けとが生じるおそれがある。
そこで、通信制御部２１は、複数回にわたるアドレス設定処理における機器設置図データにおける室内機３Ａ〜３Ｋの設置場所と、実際に設置された複数の室内機３の室外機２に対する接続順位とを関連付けの結果に基づいて、複数の室内機３の室外機２に対する接続順位を決定する決定処理を実行する。
【００５２】
図７を参照して、通信制御部２１が実行する決定処理の処理手順の一例について説明する。決定処理は、例えばアドレス設定処理と同時に開始される。
通信制御部２１は、ステップＳ３１において規定回数にわたりアドレス設定処理を実行したか否かを判定する。ここで、規定回数は予め定められている。規定回数は、複数の室内機３の室外機２に対する接続順位を決定できると考えられる回数であり、予め設定されている。規定回数の一例は、６回又は７回である。なお、規定回数は、作業者によって任意に変更可能である。
【００５３】
通信制御部２１は、アドレス設定処理の実行回数が規定回数未満と判定する場合、ステップＳ３２に移行する。通信制御部２１は、ステップＳ３２においてアドレス設定処理を実行し、ステップＳ３１に移行する。
【００５４】
通信制御部２１は、規定回数にわたりアドレス設定処理を実行したと判定する場合、ステップＳ３３に移行する。通信制御部２１は、ステップＳ３３において規定回数にわたる室外機２に対する室内機３の接続順位とアドレスとの関連付けにおいて、異なる関連付けの情報が含まれているか否かを判定する。具体的には、通信制御部２１は、室外機２に対する室内機３の接続順位とアドレスとの第１関連情報と、第１関連情報とは異なる関連付けとなる第２関連情報とを得ているか否かを判定する。
【００５５】
通信制御部２１は、規定回数にわたる室外機２に対する室内機３の接続順位とアドレスとの関連付けにおいて、異なる関連付けの情報が含まれていると判定する場合、ステップＳ３４に移行する。通信制御部２１は、ステップＳ３４において室外機２に対する室内機３の接続順位とアドレスとの関連付けを決定し、処理を終了する。具体的には、通信制御部２１は、第１関連情報の取得回数と第２関連情報の取得回数とを比較し、取得回数の多い関連情報に基づいて、室外機２に対する室内機３の接続順位とアドレスとを関連付ける。一例では、第１関連情報の取得回数が第２関連情報の取得回数よりも多い場合、第２関連情報を記憶部２２から破棄し、第１関連情報が正しいとして第１関連情報における室外機２に対する室内機３の接続順位とアドレスとを関連付けのみを記憶部２２に残す。
【００５６】
次に、図３〜図５を用いて、本実施形態の作用について説明する。
室外機２を起点として室内機３Ａ〜３Ｋをシリアルに連結して通信接続する空調通信線６は、室外機２と室内機３Ａ〜３Ｋのそれぞれとを接続する空調通信線６の距離が互いに異なる。具体的には、図３に示すように、室内機３Ａ，３Ｂ，３Ｃ，３Ｄ，３Ｅ，３Ｆ，３Ｇ，３Ｈ，３Ｉ，３Ｊ，３Ｋの順に室外機２と通信接続する空調通信線６の長さが長くなる。
【００５７】
一方、室外機２に設けられたアドレス設定装置２０の通信制御部２１から空調通信線６を介して室内機３Ａ〜３Ｋに送信される送信信号は、空調通信線６の長さが長くなるにつれて振幅が小さくなる（図４参照）。つまり、空調通信線６の長さによっては、室内機３Ａ〜３Ｋのうち、送信信号が受信できない室内機が存在することになる。また、送信信号は、振幅を大きくすることによって、又は周波数帯を低くすることによって、送信距離を延ばすことができる。
【００５８】
この点に鑑みて、本実施形態では、通信制御部２１は、送信信号の振幅及び周波数帯の少なくとも一方を変更することによって、室内機３Ａ〜３Ｋを順次応答させることができるようになる。例えば、通信制御部２１は、送信信号の振幅を徐々に大きくすることで、先ず室内機３Ａが応答し、次に室内機３Ｂが応答するようになる。また、送信信号の周波数帯を徐々に低くして減衰し難くすることにより、送信信号の到達距離が長くなり、先ず室内機３Ａが応答し、次に室内機３Ｂが応答するようになる。これにより、通信制御部２１は、各室内機３Ａ〜３Ｋのアドレスを順次取得することで、各室内機３Ａ〜３Ｋのアドレスと接続順位とを関連付けることができる。
【００５９】
以上説明したように、本実施形態によれば、以下の効果を奏する。
（１−１）通信制御部２１は、アドレス設定処理において、送信信号の振幅及び周波数帯の少なくとも一方を変更し、室内機３からの受信信号に基づいて、室内機３のアドレスと室外機２に対する室内機３の接続順位とを関連付ける。この構成によれば、アドレス設定処理の実行時に従来技術のように通信回路遮断器を制御する必要がなくなるため、複数の室内機３のアドレスと複数の室内機３の室外機２に対する接続順位とを容易に関連付けることができる。
【００６０】
（１−２）通信制御部２１は、アドレス設定処理において、送信信号の振幅を徐々に大きくすることによって、複数の室内機３のうちの１つを特定し、特定した室内機３から受信した受信信号に基づいて、特定した室内機３のアドレスと室外機２に対する接続順位とを関連付ける。この構成によれば、送信信号の振幅を徐々に大きくすることにより、送信信号の送信距離を徐々に延ばすことができ、室外機２に対して近い順で室内機３の接続順位を特定できる。
【００６１】
（１−３）通信制御部２１は、アドレス設定処理において、送信信号の周波数帯を徐々に低くすることによって、複数の室内機３のうちの１つを特定し、特定した室内機３から受信した受信信号に基づいて、特定した室内機３のアドレスと室外機２に対する接続順位とを関連付ける。この構成によれば、送信信号の周波数帯を徐々に低くすることにより、送信信号の送信距離を徐々に延ばすことができ、室内機３に対して近い順で室内機３の接続順位を特定できる。
【００６２】
（１−４）通信制御部２１は、アドレス設定処理において、機器配置図データを用いて、機器配置図データにおける複数の室内機３の設置場所と、複数の室内機３のアドレス及び複数の室内機３の室外機２に対する接続順位とを関連付ける。この構成によれば、機器配置図データ上の室内機３に、実際に設置された室内機３のアドレスを書き込むことができる。
【００６３】
（１−５）通信制御部２１は、決定処理において、アドレス設定処理を規定回数にわたり実行した結果、室内機３のアドレスと室外機２に対する接続順位との第１関連情報と、第１関連情報とは異なる関連付けの情報となる第２関連情報とを得た場合、第１関連情報の取得回数と第２関連情報の取得回数とを比較する。そして通信制御部２１は、第１関連情報の取得回数と第２関連情報の取得回数とのうちの取得回数多い関連情報に基づいて、室内機３のアドレスと室外機２に対する接続順位とを関連付ける。この構成によれば、室内機３のアドレスと室外機２に対する接続順位とをより正確に関連付けることができる。
【００６４】
（第２実施形態）
以下、第２実施形態について説明する。本実施形態は、第１実施形態と比較して、アドレス設定処理の処理内容が異なる。このため、構成要素については第１実施形態を参照し、本実施形態にかかるシステム構成に係る図面を省略する。
【００６５】
図８は、本実施形態におけるアドレス設定処理を示す。ステップＳ４１において、通信制御部２１は、空調通信線６を介して送信信号を複数の室内機３に向けて送信し、ステップＳ４２に移行する。通信制御部２１は、アドレス設定処理の開始後、最初に最小周波数帯、かつ、振幅が最大となる送信信号を複数の室内機３に向けて送信する。一例では、送信信号として、第１送信信号Ｓ１〜第６送信信号Ｓ６が設定され、第１振幅Ａ１〜第３振幅Ａ３が設定されている場合、通信制御部２１は、第３振幅Ａ３となる第６送信信号Ｓ６を複数の室内機３に向けて送信する。
【００６６】
通信制御部２１は、ステップＳ４２において受信信号を取得し、ステップＳ４３に移行する。一例では、通信制御部２１は、第３振幅Ａ３となる第６送信信号Ｓ６の場合、全ての室内機３からの受信信号（応答信号）を取得する。
【００６７】
通信制御部２１は、ステップＳ４３において空調通信線６を介してステップＳ４１の送信信号よりも到達距離が短い送信信号を送信して、ステップＳ４４に移行する。一例では、通信制御部２１は、ステップＳ４１の送信信号よりも振幅が小さい、又は周波数帯が高い送信信号を複数の室内機３に向けて送信する。一例として、ステップＳ４１における送信信号が第３振幅Ａ３となる第６送信信号Ｓ６の場合、通信制御部２１は、ステップＳ４３において第２振幅Ａ２となる第６送信信号Ｓ６を複数の室内機３に向けて送信する。またステップＳ４１における送信信号が第１振幅Ａ１となる第６送信信号Ｓ６の場合、通信制御部２１は、ステップＳ４３において第３振幅Ａ３となる第５送信信号Ｓ５を複数の室内機３に向けて送信する。
【００６８】
通信制御部２１は、ステップＳ４４において受信信号を取得し、ステップＳ４５に移行する。通信制御部２１は、ステップＳ４５において受信信号を取得できない室内機３が存在するか否かを判定する。通信制御部２１は、受信信号を取得できない室内機３が存在する場合、ステップＳ４６に移行する。通信制御部２１は、ステップＳ４６において複数の室内機３のうちの１つの室内機３を特定し、ステップＳ４７に移行する。一例では、通信制御部２１は、第２振幅Ａ２となる第６送信信号Ｓ６の場合、１つの室内機３から受信信号を取得できない。この場合、受信信号を取得できない室内機３は、空調通信線６において室外機２に対して最も離れた室内機３、すなわち室外機２と室内機３とを接続する空調通信線６が最も長くなる室内機３である。これにより、通信制御部２１は、複数の室内機３のうちの１つの室内機３を特定できる。
【００６９】
通信制御部２１は、ステップＳ４７において、ステップＳ４２において受信した、特定された室内機３の受信信号に基づいて、特定された室内機３の室外機２に対する接続順位とアドレスとを関連付け、ステップＳ４８に移行する。
【００７０】
通信制御部２１は、ステップＳ４８において全ての室内機３について、室内機３の室外機２に対する接続順位とアドレスとの関連付けが完了したか否かを判定する。通信制御部２１は、全ての室内機３について、室内機３の室外機２に対する接続順位とアドレスとの関連付けが完了した場合、処理を終了する。一方、通信制御部２１は、全ての室内機３について、室内機３の室外機２に対する接続順位とアドレスとの関連付けが完了していない場合、ステップＳ４１に移行する。
【００７１】
また、通信制御部２１は、ステップＳ４５において受信信号を取得できない室内機３が存在しない場合、ステップＳ５１〜Ｓ５６のように振幅及び周波数の少なくとも一方を変更した送信信号をステップＳ４３において再び送信する。
【００７２】
具体的には、通信制御部２１は、ステップＳ５１において、ステップＳ４３において送信した送信信号の振幅が最小値か否かを判定する。送信信号の振幅の最小値は、例えば送信信号の設定振幅範囲の下限値である。一例では、送信信号の振幅が第１振幅Ａ１、第２振幅Ａ２、及び第３振幅Ａ３のいずれかに設定される場合、通信制御部２１は、送信信号の振幅が第１振幅Ａ１か否かを判定する。
【００７３】
通信制御部２１は、ステップＳ４３の送信信号の振幅が最小値ではない場合、ステップＳ５２に移行する。通信制御部２１は、ステップＳ５２において、ステップＳ４３において送信した送信信号の振幅を小さくし、ステップＳ４３に移行する。通信制御部２１は、ステップＳ５３において、ステップＳ４３において送信した送信信号の周波数帯が最高周波数帯か否かを判定する。送信信号の最高周波数帯は、送信信号の設定周波数範囲の上限値を含む周波数帯である。
【００７４】
通信制御部２１は、ステップＳ４３において送信した送信信号の周波数帯が最高周波数帯ではない場合、ステップＳ５４に移行する。通信制御部２１は、ステップＳ５４において、ステップＳ４３において送信した送信信号の周波数帯を高くし、ステップＳ５５に移行する。通信制御部２１は、ステップＳ５５においてステップＳ５４の送信信号の振幅を最大値に設定し、ステップＳ４３に移行する。
【００７５】
このように、本実施形態では、通信制御部２１は、送信信号の振幅を徐々に小さくすることによって、複数の室内機３のうちの１つを特定し、特定した室内機３から受信した受信信号に基づいて、特定した室内機３のアドレスと室外機２に対する接続順位とを関連付ける。また、通信制御部２１は、送信信号の周波数帯を徐々に高くすることによって、複数の室内機３のうちの１つを特定し、特定した室内機３から受信した受信信号に基づいて、特定した室内機３のアドレスと室外機２に対する接続順位とを関連付ける。
【００７６】
また、通信制御部２１は、ステップＳ４３において送信した送信信号の周波数帯が最低周波数帯である場合、ステップＳ５６に移行する。通信制御部２１は、ステップＳ５６において室外機２に対する接続順位とアドレスとの関連付けができない室内機３が存在する旨のエラーを報知し、処理を終了する。エラーの報知方法は、第１実施形態のアドレス設定処理と同様である。
【００７７】
以上説明したように、本実施形態によれば、第１実施形態の（１−１）、（１−４）、及び（１−５）と同様の効果に加え、以下の効果を奏する。
（２−１）通信制御部２１は、アドレス設定処理において、送信信号の振幅を徐々に小さくすることによって、特定した室内機３のアドレスと室外機２に対する接続順位とを関連付ける。この構成によれば、送信信号の振幅を徐々に小さくすることにより、送信信号の送信距離を徐々に短くすることができ、室外機２に対して遠い順で室内機３の接続順位を特定できる。
【００７８】
（２−２）通信制御部２１は、アドレス設定処理において、送信信号の周波数帯を徐々に高くすることによって、複数の室内機３のうちの１つを特定し、特定した室内機３から受信した受信信号に基づいて、特定した室内機３のアドレスと室外機２に対する接続順位とを関連付ける。この構成によれば、送信信号の周波数帯を徐々に高くすることにより、送信信号の送信距離を徐々に短くすることができ、室外機２に対して遠い順で室内機３の接続順位を特定できる。
【００７９】
（変更例）
上記各実施形態に関する説明は、本開示に従うアドレス設定装置及び空調システムが取り得る形態の例示であり、その形態を制限することを意図していない。本開示に従うアドレス設定装置及び空調システムは、例えば以下に示される上記各実施形態の変更例、及び相互に矛盾しない少なくとも２つの変更例が組み合わせられた形態を取り得る。以下の変更例において、上記各実施形態の形態と共通する部分については、上記各実施形態と同一の符号を付してその説明を省略する。
【００８０】
・上記各実施形態において、アドレス設定装置２０が設けられる場所は任意に変更可能である。アドレス設定装置２０は、室外機２以外の装置、例えば所定の室内機３に設けられてもよいし、システム管理装置４に設けられてもよい。アドレス設定装置２０がシステム管理装置４に設けられる場合、通信制御部２１から送信される送信信号は、例えば、室外機２及び空調通信線６を介して複数の室内機３に向けて送信される。
【００８１】
・上記各実施形態において、室外機２に対する室内機３の接続数を取得する方法は任意に変更可能である。一例では、通信制御部２１は、機器配置図データに代えて、所定の振幅又は所定の周波数帯の送信信号（例えば最大振幅、最低周波数帯の送信信号：第３振幅Ａ３の第６送信信号Ｓ６）を送信する。この場合、接続された全ての室内機３が受信信号（応答信号）を室外機２に向けて送信することによって、室外機２に対する室内機３の接続数を取得できる。そして通信制御部２１は、アドレス設定処理において、接続数の室内機３のアドレスと室外機２に対する接続順位とを関連付けるまで、振幅及び周波数の少なくとも一方を変更した送信信号を繰り返し送信する。
【００８２】
・上記各実施形態において、室内機３が特定された場合、通信制御部２１は、特定された室内機３が受信信号を送信することを禁止してもよい。一例では、通信制御部２１は、特定された室内機３に向けて、受信信号を送信することを禁止する旨の制御信号を送信する。なお、制御信号の送信に代えて、送信信号に受信信号を送信した室内機３が再び受信信号を送信することを禁止する情報を含むようにしてもよい。これにより、室内機３の制御部３４は、受信信号を送信したか否かを判定し、受信信号を送信した場合、再び受信信号を送信することを禁止する。
【００８３】
・上記各実施形態において、通信制御部２１は、送信信号の振幅及び周波数帯のうちの振幅のみを変更するように構成されてもよいし、送信信号の周波数帯のみを変更するように構成されてもよい。要するに、通信制御部２１は、空調通信線６における送信信号の到達距離が変更できるように送信信号のパラメータを変更してもよい。
【００８４】
・上記各実施形態の決定処理において、取得回数の差が閾値以上の場合に決定し、取得回数の差が閾値未満の場合に決定せずにエラーとして処理してもよい。一例では、通信制御部２１は、図７の決定処理に代えて、図９の決定処理を実行してもよい。図９の決定処理は、図７の決定処理のステップＳ３３とステップＳ３４との間にステップＳ６１の処理を追加した処理である。通信制御部２１は、規定回数にわたる室外機２に対する室内機３の接続順位とアドレスとの関連付けにおいて、異なる関連付けの情報が含まれている場合、ステップＳ６１において異なる関連付け情報の取得回数の差が閾値以上か否かを判定する。一例では、第１関連情報と第２関連情報とを得た場合、第１関連情報の取得回数と第２関連情報の取得回数との差が閾値以上か否かを判定する。通信制御部２１は、異なる関連付け情報の取得回数の差が閾値以上の場合、ステップＳ３４に移行する。通信制御部２１は、異なる関連付け情報の取得回数の差が閾値未満の場合、ステップＳ６２においてアドレス設定処理において得た情報をリセットし、アドレス設定処理を再び規定回数にわたり度実行する。一例では、第１関連情報の取得回数と第２関連情報の取得回数との差が閾値未満の場合、第１関連情報及び第２関連情報を記憶部２２から破棄し、アドレス設定処理を再び規定回数にわたり実行する。
【００８５】
・上記各実施形態では、アドレス設定装置２０が空調システム１に適用されたが、空調システム１に限られず、第１の機器を起点として複数の第２の機器をシリアルに連結して通信接続する通信線を備える通信システムを含むものであれば、アドレス設定装置２０を適用可能である。一例では、空調システム１に代わる冷凍システム、ビル等の照明、及び放送設備が挙げられる。
【００８６】
以上、本装置の実施の形態を説明したが、特許請求の範囲に記載された本装置の趣旨及び範囲から逸脱することなく、形態や詳細の多様な変更が可能なことが理解されるであろう。
【符号の説明】
【００８７】
１…空調システム
２…室外機（第１の機器）
３，３Ａ〜３Ｋ…室内機（第２の機器）
４…システム管理装置（集中管理装置）
６…空調通信線（通信線）
２０…アドレス設定装置
２１…通信制御部
【図１】
2020041735.tif 000003
【図２】
2020041735.tif 000004
【図３】
2020041735.tif 000005
【図４】
2020041735.tif 000006
【図５】
2020041735.tif 000007
【図６】
2020041735.tif 000008
【図７】
2020041735.tif 000009
【図８】
2020041735.tif 000010
【図９】
2020041735.tif 000011
【手続補正書】
【提出日】令和1年12月20日(2019.12.20)
【手続補正１】
【補正対象書類名】特許請求の範囲
【補正対象項目名】全文
【補正方法】変更
【補正の内容】
【特許請求の範囲】
【請求項１】
第１の機器（２）と、複数の第２の機器（３）と、前記第１の機器（２）を起点として前記複数の第２の機器（３）をシリアルに連結して通信接続する通信線（６）とを備える通信システムにおける前記複数の第２の機器（３）のアドレスを設定するアドレス設定装置（２０）であって、
前記通信線（６）は、前記第１の機器（２）と前記第２の機器（３）とを繋ぐ配管とは別に設けられるものであり、
前記通信線（６）を介して送信信号を前記複数の第２の機器（３）に向けて送信するとともに前記送信信号の振幅及び周波数の少なくとも一方を変更し、前記通信線（６）を介して受信した受信信号に基づいて、前記複数の第２の機器（３）のアドレスと前記複数の第２の機器（３）の前記第１の機器（２）に対する接続順位とを関連付ける通信制御部（２１）を有する
アドレス設定装置。
【請求項２】
前記通信制御部（２１）は、前記送信信号の振幅を徐々に大きくする、又は徐々に小さくすることによって、前記複数の第２の機器（３）のうちの１つを特定し、特定した第２の機器（３）から受信した受信信号に基づいて、前記特定した第２の機器（３）のアドレスと前記第１の機器（２）に対する接続順位とを関連付ける
請求項１に記載のアドレス設定装置。
【請求項３】
前記通信制御部（２１）は、前記送信信号の周波数帯を徐々に高くする、又は徐々に低くすることによって、前記複数の第２の機器（３）のうちの１つを特定し、特定した第２の機器（３）から受信した受信信号に基づいて、前記特定した第２の機器（３）のアドレスと前記第１の機器（２）に対する接続順位とを関連付ける
請求項１又は２に記載のアドレス設定装置。
【請求項４】
前記通信制御部（２１）は、前記複数の第２の機器（３）の設置場所が設定された機器配置図データにおける前記複数の第２の機器（３）の設置場所と、前記複数の第２の機器（３）のアドレス及び前記第１の機器（２）に対する接続順位とを関連付ける
請求項１〜３のいずれか一項に記載のアドレス設定装置。
【請求項５】
前記通信制御部（２１）は、所定の振幅又は所定の周波数帯の前記送信信号を送信して、前記第１の機器（２）に対する前記第２の機器（３）の接続数を取得し、前記接続数の前記第２の機器（３）のアドレスと前記第１の機器（２）に対する接続順位とを関連付けるまで、振幅及び周波数の少なくとも一方を変更した前記送信信号を繰り返し送信する
請求項１〜４のいずれか一項に記載のアドレス設定装置。
【請求項６】
前記通信制御部（２１）は、前記複数の第２の機器（３）のアドレスと前記第１の機器（２）に対する接続順位との関連付けを複数回にわたり実行した結果、前記第２の機器（３）のアドレスと前記第１の機器（２）に対する接続順位との第１関連情報と、前記第１関連情報とは異なる関連付けの情報となる第２関連情報とを得た場合、前記第１関連情報の取得回数と前記第２関連情報の取得回数とのうちの取得回数の多い関連情報に基づいて、前記第２の機器（３）のアドレスと前記第１の機器（２）に対する接続順位とを関連付ける
請求項１〜５のいずれか一項に記載のアドレス設定装置。
【請求項７】
請求項１〜６のいずれか一項に記載のアドレス設定装置（２０）を備える空調システム（１）であって、
前記第１の機器（２）は、室外機（２）であり、
前記第２の機器（３）は、室内機（３）を含む
空調システム。
【請求項８】
前記アドレス設定装置（２０）は、前記室外機（２）に設けられている
請求項７に記載の空調システム。
【請求項９】
前記空調システム（１）は、前記室外機（２）及び前記室内機（３）を一括で制御する集中管理装置（４）を備え、
前記アドレス設定装置（２０）は、前記集中管理装置（４）に設けられている
請求項７に記載の空調システム。